Podtech/llm-jp-corpus-v4-ja_patent huggingface dataset:
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
ブルートゥース対応のデバイスにおける他の無線技術のオペレーションによりブルートゥースページングシーケンスおよびブルートゥース問合せシーケンスのうちの少なくとも１つにおいて使用不可能である周波数を交換するための前記ブルートゥース対応のデバイスのための方法であって、
現在のブルートゥース周波数トレーンにおける周波数ペアを決定することと、ここにおいて、前記周波数ペアは、リッスン周波数および応答周波数を含む、
前記周波数ペアが前記ページングシーケンスおよび前記問合せシーケンスのうちの１つに使用不可能であるかどうかを決定することと、
前記周波数ペアが前記ページングシーケンスおよび前記問合せシーケンスのうちの少なくとも１つに使用不可能であるとの決定に応答して、前記ページングシーケンスまたは前記問合せシーケンスのうちの少なくとも１つに使用可能である周波数ペアのセットの中から他の周波数ペアを前記現在の周波数トレーンから選択することと、
を備える方法。
【請求項２】
前記デバイスにおける前記他の無線技術が、ＬＴＥ、ＷｉＭａｘ、およびＷｉＦｉのうちの少なくとも１つまたは複数である、請求項１に記載の方法。
【請求項３】
使用可能である周波数ペアを選択することが、前記問合せシーケンスおよび前記ページングシーケンスのうちの少なくとも１つを送信する際に使用される周波数ホッピングシーケンスをリマップすることを含む、請求項１に記載の方法。
【請求項４】
前記周波数ホッピングシーケンスをリマップすることが、
前記ブルートゥース対応のデバイスのクロック信号の現在の値を、１つまたは複数のモジュロ値に変換することと、ここにおいて、各々が、複数の周波数トレーンのうちの特定の周波数トレーンに対応する、
前記１つまたは複数のモジュロ値を、前記複数の周波数トレーンにおける各周波数トレーンのうちの各々に関する前記クロック信号の既知の使用可能な値の各々のルックアップテーブルへ指標付けするためのポインターとして役に立つように使用すること、請求項３に記載の方法。
【請求項５】
リッスン周波数および応答周波数ペアのうちの１つが、リッスン周波数および応答周波数を備える、請求項１に記載の方法。
【請求項６】
ブルートゥース対応のデバイスにおける他の技術のオペレーションによりブルートゥースページングシーケンスおよびブルートゥース問合せシーケンスのうちの少なくとも１つにおいて使用不可能である周波数を前記ブルートゥース対応のデバイスが交換することを可能にするための装置であって、
現在のブルートゥース周波数トレーンにおいて周波数ペアを決定するための手段と、ここにおいて、前記周波数ペアは、リッスン周波数および応答周波数を含む、
前記周波数ペアが前記ページングシーケンスおよび前記問合せシーケンスのうちの少なくとも１つに使用不可能であるかどうかを決定するための手段と、
前記周波数ペアが前記ページングシーケンスおよび前記問合せ周波数のうちの少なくとも１つに使用不可能であるとの決定に応答して、前記ページングシーケンスまたは前記問合せシーケンスのうちの少なくとも１つに使用可能である前記周波数ペアのセットの中から他の前記周波数ペアを前記現在の周波数トレーンから選択するための手段と
を具備する装置。
【請求項７】
前記デバイスにおける前記他の無線技術が、ＬＴＥ、ＷｉＭａｘ、およびＷｉＦｉのうちの少なくとも１つまたは複数である、請求項６に記載の装置。
【請求項８】
使用可能である周波数ペアを選択するための手段が、前記問合せシーケンスおよび前記ページングシーケンスのうちの少なくとも１つを送信する際に使用される周波数ホッピングシーケンスをリマップするための手段を含む、請求項６に記載の装置。
【請求項９】
前記周波数ホッピングシーケンスをリマップするための手段が、
前記ブルートゥース対応のデバイスのクロック信号の現在の値を、１つまたは複数のモジュロ値に変換するための手段と、ここにおいて、各々が、複数の周波数トレーンのうちの特定の周波数トレーンに対応する、
前記１つまたは複数のモジュロ値を、前記複数の周波数トレーンにおける各周波数トレーンのうちの各々に関する前記クロック信号の既知の使用可能な値の各々のルックアップテーブルへ指標付けするためのポインターとして役に立つように使用するための手段、請求項８に記載の装置。
【請求項１０】
リッスン周波数および応答周波数ペアのうちの１つが、リッスン周波数および応答周波数を備える、請求項６に記載の装置。
【請求項１１】
ブルートゥース部分と、
ブルートゥース以外の無線技術を実装する更なる部分と、
前記ブルートゥース部分および前記更なる部分に結合された無線トランシーバ設備と
を備える無線通信装置であって、
前記ブルートゥース部分は、ブルートゥース以外の無線技術を実装する前記更なる部分のオペレーションによりブルートゥースページングシーケンスおよびブルートゥース問合せシーケンスのうちの少なくとも１つにおいて使用不可能である周波数を交換するのに適したプロセッサを含み、前記プロセッサは、現在のブルートゥース周波数トレーンにおける周波数ペアを決定するようにさらに構成され、前記周波数ペアが、リッスン周波数および応答周波数を含み、前記プロセッサは、前記周波数ペアが前記ページングシーケンスおよび前記問合せシーケンスのうちの少なくとも１つに使用不可能であるかどうかを決定し、前記周波数ペアが前記ページングシーケンスおよび前記問合せシーケンスのうちの少なくとも１つに使用不可能であるとの決定に応答して、前記ページングシーケンスまたは前記問合せシーケンスのうちの少なくとも１つに使用可能である前記周波数ペアのセットの中から他の前記周波数ペアを前記現在の周波数トレーンから選択するようにさらに構成されている、装置。
【請求項１２】
ブルートゥース対応のデバイスにおける他の無線技術のオペレーションによりブルートゥースページングシーケンスおよびブルートゥース問合せシーケンスのうちの少なくとも１つにおいて使用不可能である周波数を前記ブルートゥース対応のデバイスが交換することを可能にするために構成されたコンピュータ可読記憶媒体であって、
現在のブルートゥース周波数トレーンにおける周波数ペアを決定するためのコードと、ここにおいて、前記周波数ペアは、リッスン周波数および応答周波数を含む、
前記周波数ペアが前記ページングシーケンスおよび前記問合せシーケンスのうちの少なくとも１つのために使用不可能であるかどうかを決定するためのコードと、
前記周波数ペアが前記ページングシーケンスおよび前記問合せシーケンスのうちの少なくとも１つのために使用不可能であるとの決定に応答して、前記ページングシーケンスまたは前記問合せシーケンスのうちの少なくとも１つのために使用可能である前記周波数ペアのセットの中から他の前記周波数ペアを前記現在の周波数トレーンから選択するためのコードと
を備えるコンピュータ可読記憶媒体。
【手続補正書】
【提出日】平成27年10月13日(2015.10.13)
【手続補正１】
【補正対象書類名】特許請求の範囲
【補正対象項目名】全文
【補正方法】変更
【補正の内容】
【特許請求の範囲】
【請求項１】
移動通信端末機が通信可能な状態ではあるが，前記移動通信端末機のタッチスクリーンディスプレイがオフとなっている，前記移動通信端末機が非活性状態の間に活性化ボタンによる使用者の入力を検出し；
前記使用者の入力の検出後，前記移動通信端末機を前記非活性状態から，前記移動通信端末機が通信可能な間に前記タッチスクリーンディスプレイをオンにして前記ロック画面を表示する活性状態に切り替え；
前記活性状態に切り替えるとともに，更に前記ロック画面に広告を表示し；
前記タッチスクリーンディスプレイは使用者の入力を受信するインターフェースを設け；
前記広告が前記ロック画面に表示されている間の，前記タッチスクリーンディスプレイの前記インターフェースを介した追加入力に応じて，前記広告に関連した追加情報を提供するための追加的な動作が行われることを含む，移動通信端末機のロック画面に広告を提供する方法。
【請求項２】
前記広告の表示は，既にインストールされたアプリケ-ションが駆動することにより実行される請求項１記載の方法。
【請求項３】
前記不活性状態から前記活性状態への変更の前又は後に，前記広告は広告提供サーバから提供される請求項１又は２記載の方法。
【請求項４】
前記広告は，ランダムに又は所定条件に応じて選択され，前記所定条件は，現在位置情報，使用者情報又は現在の時間の少なくとも１つを含む請求項１〜３いずれか１項記載の方法。
【請求項５】
前記現在位置情報は前記不活性状態から前記活性状態に変更した後に，又は，リアルタイムに継続的に感知される請求項４記載の方法。
【請求項６】
前記ロック画面に提供される前記広告が，前記現在位置情報を基に決定された周辺企業に関する請求項５記載の方法。
【請求項７】
前記使用者情報は，性別，年齢，居住地域，職業又は関心事項の少なくとも１つを含む請求項４記載の方法。
【請求項８】
前記使用者情報は使用者の入力により前記移動通信端末機内に保存されるか，又は，広告提供サーバから伝送される請求項７記載の方法。
【請求項９】
前記追加情報は，企業情報，商品に関する情報，割引情報又は位置情報の少なくとも１つを含む請求項１〜８いずれか１項記載の方法。
【請求項１０】
前記広告に関する前記追加情報を提供するためにウェブページに接続することを含む更なる操作を含み，前記追加情報は，企業情報，商品に関する情報，割引情報又は位置情報の少なくとも１つを含む請求項１〜９いずれか１項記載の方法。
【請求項１１】
前記追加入力に応じて広告収益が提供される請求項１〜１０いずれか１項記載の方法。
【請求項１２】
前記タッチスクリーンディスプレイが前記収益を寄付するためのインターフェースを更に設け，前記タッチスクリーンディスプレイは，使用者が寄付をするための前記インターフェースを介して寄付を要請すると，関連する画面を表示する請求項１１記載の方法。
【請求項１３】
前記タッチスクリーンディスプレイは，前記広告が前記ロック画面に表示された際に，前記ロック画面上にロック解除インターフェースを更に設け，前記ロック解除インターフェースが使用者の入力に応じて前記移動通信端末機をロック解除するよう構成される請求項１〜１２いずれか１項記載の方法。
【手続補正２】
【補正対象書類名】明細書
【補正対象項目名】発明の名称
【補正方法】変更
【補正の内容】
【発明の名称】移動通信端末機のロック画面に広告を提供する方法
【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
記録媒体に形成される画像を表す画像データを入力する入力手段と、
前記記録媒体の表面凹凸の周波数特性を取得する取得手段と、
前記取得手段が取得した周波数特性に基づいて、前記画像データを補正する補正手段と、
を有することを特徴とする画像処理装置。
【請求項２】
前記補正手段は、前記表面凹凸の周波数特性が所定の周波数より低い周波数帯の振幅成分が所定値より高い場合は、前記画像データにおける細線を太らせるようにすることを特徴とする請求項１に記載の画像処理装置。
【請求項３】
前記補正手段は、前記表面凹凸の振幅成分に基づいて前記細線を太らせる量を決定することを特徴とする請求項２記載の画像処理装置。
【請求項４】
前記決定手段は、前記表面凹凸の周波数特性が所定の周波数より高い周波数帯の振幅成分が所定の値より高い場合、前記画像データにおける細線が表す濃度が高くなるようにすることを特徴とする請求項１乃至３のいずれか一項に記載の画像処理装置。
【請求項５】
前記補正手段は、前記表面凹凸の振幅成分に基づいて前記細線が表す濃度を高くする量を決定することを特徴とする請求項４に記載の画像処理装置。
【請求項６】
前記補正手段は、ＰＡＭ処理により露光強度を高くすること、または、現像バイアスを高くすることを特徴とする請求項５に記載の画像処理装置。
【請求項７】
前記補正手段は、前記画像データを構成する画素の画素値を変更することを特徴とする請求項１乃至６の何れか一項に記載の画像処理装置。
【請求項８】
さらに、前記画像データにおいて細線を構成する画素を検出する検出手段を有し、
前記補正手段は、前記検出手段により細線を構成する画素として検出された画素またはその近傍画素に対してのみ補正を行うことを特徴とする請求項１乃至７の何れか一項に記載の画像処理装置。
【請求項９】
前記補正手段は、前記表面凹凸の周波数特性が所定の周波数より低い周波数帯の振幅成分が所定値より高い場合、前記検出手段により細線を構成する画素として検出された画素に対して、前記画素に対応する露光信号データが示す露光幅が太くなるようにすることを特徴とする請求項８に記載の画像処理装置。
【請求項１０】
前記補正手段は、前記記録媒体の繊維の方向が縦方向か横方向かに応じて補正することを特徴とする請求項１乃至請求項９のいずれか一項に記載の画像処理装置。
【請求項１１】
前記取得手段は、前記記録媒体を搬送しながら前記記録媒体に向けて照射した反射光を受光したときの強度変化を周波数解析することによって前記表面凹凸の周波数特性を取得することを特徴とする請求項１乃至１０のいずれか一項に記載の画像処理装置。
【請求項１２】
前記補正手段は、前記記録媒体の表面凹凸の周波数特性に基づいて、前記画像データにおける細線が濃くなるように補正する第１の補正処理と、前記画像データにおける細線が太くなるようい補正する第２の補正処理とを切り替えることを特徴とする請求項１に記載の画像処理装置。
【請求項１３】
コンピュータを、記録媒体に形成される画像を表す画像データを入力する入力手段と、前記記録媒体の表面凹凸の周波数特性を取得する取得手段と、前記取得手段が取得した周波数特性に基づいて、前記画像データを補正する補正手段として機能させるためのプログラム。
【請求項１４】
記録媒体に形成される画像を表す画像データを入力し、前記記録媒体の表面凹凸の周波数特性を取得し、前記取得手段が取得した周波数特性に基づいて、前記画像データを補正する画像処理方法。
【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
信号に関連付けられた複数のシンボルを生成し、
前記シンボルを所定の周波数帯域幅にわたりトーンにマッピングし、
前記マッピングの後で、前記所定の周波数帯域幅の一部を、前記信号の意図された受信者に知られてない多数のトーンを有するガード帯域幅に置き換える無線伝送の方法。
【請求項２】
前記置き換えることは、前記ガード帯域幅の前記トーンにマップされた１つ以上のシンボルをゼロにすることを含む請求項１記載の方法。
【請求項３】
前記ゼロにすることは、前記ガード帯域幅の前記トーンのエネルギーを実質的にゼロに低減すること、および、前記ガード帯域幅の前記トーンを実質的にゼロエネルギーで変調することの１つを含む請求項２記載の方法。
【請求項４】
前記シンボルは、スーパフレームのプリアンブルのブロードキャストシンボルである請求項１記載の方法。
【請求項５】
前記意図された受信者は、移動装置である請求項１記載の方法。
【請求項６】
信号に関連付けられた複数のシンボルを生成することと、
前記シンボルを所定の周波数帯域幅にわたりトーンにマッピングすることと、
前記マッピングの後で、前記所定の周波数帯域幅の一部を、前記信号の意図された受信者に知られてない多数のトーンを有するガード帯域幅に置き換えることと
のために構成された少なくとも１つのプロセッサと、
前記少なくとも１つのプロセッサに接続されたメモリとを具備する無線伝送装置。
【請求項７】
前記置き換えることは、前記ガード帯域幅の前記トーンにマップされた１つ以上のシンボルをゼロにすることを含む請求項６記載の装置。
【請求項８】
前記ゼロにすることは、前記ガード帯域幅の前記トーンのエネルギーを実質的にゼロに低減すること、および、前記ガード帯域幅の前記トーンを実質的にゼロエネルギーで変調することの１つを含む請求項７記載の装置。
【請求項９】
前記シンボルは、スーパフレームのプリアンブルのブロードキャストシンボルである請求項６記載の装置。
【請求項１０】
前記意図された受信者は、移動装置である請求項６記載の装置。
【請求項１１】
信号に関連付けられた複数のシンボルを生成する手段と、
前記シンボルを所定の周波数帯域幅にわたりトーンにマッピングする手段と、
前記マッピングの後で、前記所定の周波数帯域幅の一部を、前記信号の意図された受信者に知られてない多数のトーンを有するガード帯域幅に置き換えるために動作可能な手段とを具備する無線伝送装置。
【請求項１２】
前記置き換えることは、前記ガード帯域幅の前記トーンにマップされた１つ以上のシンボルをゼロにすることを含む請求項１１記載の装置。
【請求項１３】
前記ゼロにすることは、前記ガード帯域幅の前記トーンのエネルギーを実質的にゼロに低減すること、および、前記ガード帯域幅の前記トーンを実質的にゼロエネルギーで変調することの１つを含む請求項１２記載の装置。
【請求項１４】
前記シンボルは、スーパフレームのプリアンブルのブロードキャストシンボルである請求項１１記載の装置。
【請求項１５】
前記意図された受信者は、移動装置である請求項１１記載の装置。
【請求項１６】
少なくとも１つのコンピュータを、
信号に関連付けられた複数のシンボルを生成することと、
前記シンボルを所定の周波数帯域幅にわたりトーンにマッピングすることと、
前記マッピングの後で、前記所定の周波数帯域幅の一部を、前記信号の意図された受信者に知られてない多数のトーンを有するガード帯域幅に置き換えることと
のために構成するコードを具備する、無線伝送をサポートするコンピュータ読取可能な記憶媒体。
【請求項１７】
前記置き換えることは、前記ガード帯域幅の前記トーンにマップされた１つ以上のシンボルをゼロにすることを含む請求項１６記載のコンピュータ読取可能な記憶媒体。
【請求項１８】
前記ゼロにすることは、前記ガード帯域幅の前記トーンのエネルギーを実質的にゼロに低減すること、および、前記ガード帯域幅の前記トーンを実質的にゼロエネルギーで変調することの１つを含む請求項１７記載のコンピュータ読取可能な記憶媒体。
【請求項１９】
前記シンボルは、スーパフレームのプリアンブルのブロードキャストシンボルである請求項１６記載のコンピュータ読取可能な記憶媒体。
【請求項２０】
前記意図された受信者は、移動装置である請求項１６記載のコンピュータ読取可能な記憶媒体。
【手続補正書】
【提出日】平成27年2月2日(2015.2.2)
【手続補正１】
【補正対象書類名】特許請求の範囲
【補正対象項目名】全文
【補正方法】変更
【補正の内容】
【特許請求の範囲】
【請求項１】
セルが予約済みであることの表示を、ノードＢから１つ以上の無線送受信ユニット（ＷＴＲＵ）へ送信するステップと、
前記ノードＢから限定加入者グループ（ＣＳＧ）ブロードキャストを送信するステップと、
前記ノードＢにおいて、前記ＣＳＧブロードキャストに基づいてセルが予約済みであることの前記表示を無視した少なくとも１つのＷＴＲＵから、接続要求を受信するステップと
を備えることを特徴とする方法。
【請求項２】
前記ノードＢが、限定加入者グループ識別子（ＣＳＧ  ＩＤ）を送信するステップをさらに備えることを特徴とする請求項１に記載の方法。
【請求項３】
前記ＣＳＧブロードキャストは、前記セルが利用可能であるかどうかを示しているステータスビットを含むことを特徴とする請求項１に記載の方法。
【請求項４】
前記ＣＳＧブロードキャストは、他のＷＴＲＵによって解釈され得ないものものとして構成されることを特徴とする請求項１に記載の方法。
【請求項５】
前記他のＷＴＲＵは、ホームノードＢ（ＨＮＢ）機能をサポートしないことを特徴とする請求項４に記載の方法。
【請求項６】
前記他のＷＴＲＵは、レガシＷＴＲＵからなることを特徴とする請求項４に記載の方法。
【請求項７】
前記表示は、前記レガシＷＴＲＵが前記セルへアクセスするのを禁止されることを示していることを特徴とする請求項６に記載の方法。
【請求項８】
前記少なくとも１つのＷＴＲＵは、リリース８（Ｒ８）ＷＴＲＵであることを特徴とする請求項４に記載の方法。
【請求項９】
前記ＣＳＧブロードキャストは、前記ノードＢによるシステム情報ブロック（ＳＩＢ）ブロードキャストの中に含まれていることを特徴とする請求項１に記載の方法。
【請求項１０】
前記ＣＳＧブロードキャストは、ＣＳＧ機能をサポートするＷＴＲＵが、前記セルへのアクセスを許可されていることの表示を含むことを特徴とする請求項１に記載の方法。
【請求項１１】
前記ＣＳＧブロードキャストは、情報要素（ＩＥ）を含むことを特徴とする請求項１に記載の方法。
【請求項１２】
信号を送信しおよび受信するように構成された送受信機と、
前記送受信機を介して、１つ以上の無線送受信ユニット（ＷＴＲＵ）へ、セルが予約済みであることの表示を送信し、
前記送受信機を介して、限定加入者グループ（ＣＳＧ）ブロードキャストを送信し、および
前記ＣＳＧブロードキャストに基づいてセルが予約済みであることの前記表示を無視した少なくとも１つのＷＴＲＵから、接続要求を受信するよう構成されたコントローラと
を備えたことを特徴とするノードＢ。
【請求項１３】
前記コントローラは、前記送受信機を介して、限定加入者グループ識別子（ＣＳＧ  ＩＤ）を送信するようさらに構成されたことを特徴とする請求項１２に記載のノードＢ。
【請求項１４】
前記ＣＳＧブロードキャストは、前記セルが利用可能であるかどうかを示しているステータスビットを含むことを特徴とする請求項１２に記載のノードＢ。
【請求項１５】
前記ＣＳＧブロードキャストは、他のＷＴＲＵによって解釈され得ないものものとして構成されることを特徴とする請求項１２に記載のノードＢ。
【請求項１６】
前記他のＷＴＲＵは、ホームノードＢ（ＨＮＢ）機能をサポートしないことを特徴とする請求項１５に記載のノードＢ。
【請求項１７】
前記他のＷＴＲＵは、レガシＷＴＲＵからなることを特徴とする請求項１５に記載のノードＢ。
【請求項１８】
前記表示は、前記レガシＷＴＲＵが前記セルへアクセスするのを禁止されることを示していることを特徴とする請求項１７に記載のノードＢ。
【請求項１９】
前記少なくとも１つのＷＴＲＵは、リリース８（Ｒ８）ＷＴＲＵであることを特徴とする請求項１５に記載のノードＢ。
【請求項２０】
前記ＣＳＧブロードキャストは、前記ノードＢによるシステム情報ブロック（ＳＩＢ）ブロードキャストの中に含まれていることを特徴とする請求項１２に記載のノードＢ。
【請求項２１】
前記ＣＳＧブロードキャストは、ＣＳＧ機能をサポートするＷＴＲＵが、前記セルへのアクセスを許可されていることの表示を含むことを特徴とする請求項１２に記載のノードＢ。
【請求項２２】
前記ＣＳＧブロードキャストは、情報要素（ＩＥ）を含むことを特徴とする請求項１２に記載のノードＢ。
【請求項２３】
前記コントローラは、前記セルから前記ＣＳＧブロードキャストを送信するよう構成されたことを特徴とする請求項１２に記載のノードＢ。
【請求項２４】
前記ＣＳＧブロードキャストは、前記セルから送信されることを特徴とする請求項１に記載の方法。
【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
遊技球を入球させることによって特別図柄変動ゲームの始動条件が得られる始動口と、遊技球を入球させることによって普通図柄変動ゲームの始動条件が得られるゲートと、を備え、前記普通図柄変動ゲームでは、前記始動口を遊技球が入球し易い状態に遷移させるかの普図抽選の抽選結果が導出される遊技機において、
主制御手段と、
前記主制御手段からの制御情報が入力され、当該制御情報をもとに演出の実行を制御する演出制御手段と、を備え、
前記主制御手段は、前記始動口並びに前記ゲートへの入球を契機に情報を取得し、
前記演出制御手段は、
前記制御情報として前記ゲートへの入球を契機に取得された情報を特定可能な入球時制御情報を入力することにより、当該入球に基づく普通図柄変動ゲームが実行される以前に前記普図抽選の抽選結果を示唆する予告演出を実行させるか判定する判定処理を行い、
前記判定処理では、
前記入球時制御情報から特定される内容に応じて定められた確率によって、前記予告演出を実行させると判定することを特徴とする遊技機。
【請求項２】
前記普図抽選に当選した場合に前記始動口を前記遊技球が入球し易い状態に遷移させる遷移パターンとして、第１のパターンと当該第１のパターンに比して前記遊技球が入球し易い状態に遷移される合計時間が長い第２のパターンと、を有し、
前記普図抽選に当選する場合の前記入球時制御情報は、前記始動口の前記遷移パターンを特定可能であり、
前記判定処理では、
前記入球時制御情報から前記遷移パターンが特定される場合、前記遷移パターンに応じて定められた確率によって、前記予告演出を実行させると判定することを特徴とする請求項１に記載の遊技機。
【請求項３】
前記演出制御手段は、複数回の普通図柄変動ゲームに亘って前記予告演出を実行させる場合、前記予告演出の内容を段階的に変化させるように構成されており、
前記予告演出は、当該予告演出の対象とする普図変動ゲームの回数によって前記普図抽選に当選する可能性の高低を示唆し、実行される順序が後の予告演出は当該予告演出よりも前の予告演出によって示唆される期待度以上の内容で実行されることを特徴とする請求項１又は請求項２に記載の遊技機。
【請求項４】
前記判定処理では、示唆対象とする普通図柄変動ゲームが、実行が保留されている普通図柄変動ゲームの中に複数存在する場合、それぞれ前記予告演出を実行させると判定するように構成されており、
この場合、前記演出制御手段は、先に実行される示唆対象の普通図柄変動ゲームを示唆対象とする前記予告演出を実行させ、当該予告演出が終了した後、それよりも後に実行される示唆対象の普通図柄変動ゲームを示唆対象とする前記予告演出を新たに実行させることを特徴とする請求項１〜請求項３のうちいずれか一項に記載の遊技機。
【手続補正２】
【補正対象書類名】明細書
【補正対象項目名】０００６
【補正方法】変更
【補正の内容】
【０００６】
上記問題点を解決する遊技機は、遊技球を入球させることによって特別図柄変動ゲームの始動条件が得られる始動口と、遊技球を入球させることによって普通図柄変動ゲームの始動条件が得られるゲートと、を備え、前記普通図柄変動ゲームでは、前記始動口を遊技球が入球し易い状態に遷移させるかの普図抽選の抽選結果が導出される遊技機において、主制御手段と、前記主制御手段からの制御情報が入力され、当該制御情報をもとに演出の実行を制御する演出制御手段と、を備え、前記主制御手段は、前記始動口並びに前記ゲートへの入球を契機に情報を取得し、前記演出制御手段は、前記制御情報として前記ゲートへの入球を契機に取得された情報を特定可能な入球時制御情報を入力することにより、当該入球に基づく普通図柄変動ゲームが実行される以前に前記普図抽選の抽選結果を示唆する予告演出を実行させるか判定する判定処理を行い、前記判定処理では、前記入球時制御情報から特定される内容に応じて定められた確率によって、前記予告演出を実行させると判定することを要旨とする。
【手続補正３】
【補正対象書類名】明細書
【補正対象項目名】０００７
【補正方法】変更
【補正の内容】
【０００７】
上記遊技機において、前記普図抽選に当選した場合に前記始動口を前記遊技球が入球し易い状態に遷移させる遷移パターンとして、第１のパターンと当該第１のパターンに比して前記遊技球が入球し易い状態に遷移される合計時間が長い第２のパターンと、を有し、前記普図抽選に当選する場合の前記入球時制御情報は、前記始動口の前記遷移パターンを特定可能であり、前記判定処理では、前記入球時制御情報から前記遷移パターンが特定される場合、前記遷移パターンに応じて定められた確率によって、前記予告演出を実行させると判定するようにしてもよい。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
上記遊技機において、前記演出制御手段は、複数回の普通図柄変動ゲームに亘って前記予告演出を実行させる場合、前記予告演出の内容を段階的に変化させるように構成されており、前記予告演出は、当該予告演出の対象とする普図変動ゲームの回数によって前記普図抽選に当選する可能性の高低を示唆し、実行される順序が後の予告演出は当該予告演出よりも前の予告演出によって示唆される期待度以上の内容で実行されるようにしてもよい。
【手続補正６】
【補正対象書類名】明細書
【補正対象項目名】００１０
【補正方法】変更
【補正の内容】
【００１０】
上記遊技機において、前記判定処理では、示唆対象とする普通図柄変動ゲームが、実行が保留されている普通図柄変動ゲームの中に複数存在する場合、それぞれ前記予告演出を実行させると判定するように構成されており、この場合、前記演出制御手段は、先に実行される示唆対象の普通図柄変動ゲームを示唆対象とする前記予告演出を実行させ、当該予告演出が終了した後、それよりも後に実行される示唆対象の普通図柄変動ゲームを示唆対象とする前記予告演出を新たに実行させるようにしてもよい。
【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
遊技球を入球させることによって第１特別図柄変動ゲームの始動条件が得られる第１始動口と、
遊技球を入球させることによって第２特別図柄変動ゲームの始動条件が得られる第２始動口と、
遊技球を入球させることによって普通図柄変動ゲームの始動条件が得られるゲートと、
主制御手段と、
前記主制御手段からの制御情報が入力され、当該制御情報をもとに演出の実行を制御する演出制御手段と、を備え、
前記第１特別図柄変動ゲーム及び前記第２特別図柄変動ゲームは、大入賞口を開放させる大当り遊技を付与するかの抽選結果を導出し、
前記普通図柄変動ゲームは、前記第２始動口を遊技球が入球し易い状態に遷移させるかの抽選結果を導出し、
前記主制御手段は、前記第１始動口、前記第２始動口並びに前記ゲートへの入球を契機に情報を取得し、
前記演出制御手段は、
前記制御情報として前記第１始動口への入球を契機に取得された情報を特定可能な特図入球時制御情報を入力することにより、当該入球に基づく第１特別図柄変動ゲームが実行される以前に前記大当り遊技を付与するかの抽選結果を示唆する第１予告演出を実行させるかを判定する第１判定処理と、
前記制御情報として前記ゲートへの入球を契機に取得された情報を特定可能な普図入球時制御情報を入力することにより、当該入球に基づく普通図柄変動ゲームが実行される以前に前記第２始動口を遊技球が入球し易い状態に遷移させるかの抽選結果を示唆する第２予告演出を実行させるか判定する第２判定処理と、
前記第１判定処理の判定結果に基づく第１予告演出、並び前記第２判定処理の判定結果に基づく第２予告演出のそれぞれの実行に関する予告実行処理と、を行い、
前記予告実行処理では、前記第１予告演出及び前記第２予告演出のうち一方の予告演出を演出実行手段で実行させている場合、演出実行手段による前記他方の予告演出の実行を規制し、前記一方の予告演出が終了してから前記他方の予告演出を演出実行手段で実行させる遊技機。
【請求項２】
前記予告実行処理では、前記一方の予告演出を演出実行手段で実行させている場合、演出実行手段による前記他方の予告演出の実行を規制するが、内部制御によって前記他方の予告演出を進行させ、前記一方の予告演出が終了してから内部制御にて進行させた進行状態に基づいて前記他方の予告演出を演出実行手段で実行させる請求項１に記載の遊技機。
【請求項３】
前記一方の予告演出を前記第１予告演出とし、前記他方の予告演出を前記第２予告演出としたとき、
前記予告実行処理では、前記第１予告演出の終了後に予め決められた特定の演出状態となったとき、前記第２予告演出の実行を規制する請求項１又は請求項２に記載の遊技機。
【手続補正２】
【補正対象書類名】明細書
【補正対象項目名】０００７
【補正方法】変更
【補正の内容】
【０００７】
上記問題点を解決する遊技機は、遊技球を入球させることによって第１特別図柄変動ゲームの始動条件が得られる第１始動口と、遊技球を入球させることによって第２特別図柄変動ゲームの始動条件が得られる第２始動口と、遊技球を入球させることによって普通図柄変動ゲームの始動条件が得られるゲートと、主制御手段と、前記主制御手段からの制御情報が入力され、当該制御情報をもとに演出の実行を制御する演出制御手段と、を備え、前記第１特別図柄変動ゲーム及び前記第２特別図柄変動ゲームは、大入賞口を開放させる大当り遊技を付与するかの抽選結果を導出し、前記普通図柄変動ゲームは、前記第２始動口を遊技球が入球し易い状態に遷移させるかの抽選結果を導出し、前記主制御手段は、前記第１始動口、前記第２始動口並びに前記ゲートへの入球を契機に情報を取得し、
前記演出制御手段は、前記制御情報として前記第１始動口への入球を契機に取得された情報を特定可能な特図入球時制御情報を入力することにより、当該入球に基づく第１特別図柄変動ゲームが実行される以前に前記大当り遊技を付与するかの抽選結果を示唆する第１予告演出を実行させるかを判定する第１判定処理と、前記制御情報として前記ゲートへの入球を契機に取得された情報を特定可能な普図入球時制御情報を入力することにより、当該入球に基づく普通図柄変動ゲームが実行される以前に前記第２始動口を遊技球が入球し易い状態に遷移させるかの抽選結果を示唆する第２予告演出を実行させるか判定する第２判定処理と、前記第１判定処理の判定結果に基づく第１予告演出、並び前記第２判定処理の判定結果に基づく第２予告演出のそれぞれの実行に関する予告実行処理と、を行い、前記予告実行処理では、前記第１予告演出及び前記第２予告演出のうち一方の予告演出を演出実行手段で実行させている場合、演出実行手段による前記他方の予告演出の実行を規制し、前記一方の予告演出が終了してから前記他方の予告演出を演出実行手段で実行させることを要旨とする。
【手続補正３】
【補正対象書類名】明細書
【補正対象項目名】０００８
【補正方法】変更
【補正の内容】
【０００８】
上記遊技機において、前記予告実行処理では、前記一方の予告演出を演出実行手段で実行させている場合、演出実行手段による前記他方の予告演出の実行を規制するが、内部制御によって前記他方の予告演出を進行させ、前記一方の予告演出が終了してから内部制御にて進行させた進行状態に基づいて前記他方の予告演出を演出実行手段で実行させるようにしてもよい。
【手続補正４】
【補正対象書類名】明細書
【補正対象項目名】０００９
【補正方法】変更
【補正の内容】
【０００９】
上記遊技機において、前記一方の予告演出を前記第１予告演出とし、前記他方の予告演出を前記第２予告演出としたとき、前記予告実行処理では、前記第１予告演出の終了後に予め決められた特定の演出状態となったとき、前記第２予告演出の実行を規制するようにしてもよい。
【手続補正５】
【補正対象書類名】明細書
【補正対象項目名】００１０
【補正方法】削除
【補正の内容】
【手続補正６】
【補正対象書類名】明細書
【補正対象項目名】０２８６
【補正方法】変更
【補正の内容】
【０２８６】
（ニ）前記演出制御手段は、特別図柄用予告演出が実行中であることを示す情報が記憶されているときに、前記普通図柄用予告判定手段の判定結果が肯定となった場合には、予め決められた契機から普通図柄用予告演出の進行を開始させる一方で普通図柄用予告演出の表示を規制し、当該特別図用予告演出が終了して特別図柄用予告演出が実行中であることを示す情報が消去された場合には、規制されていた普通図柄用予告演出を表示させ、普通図柄用予告演出が実行中であることを示す情報が記憶されているときに、前記特別図柄用予告判定手段の判定結果が肯定となった場合には、予め決められた契機から特別図柄用予告演出の進行を開始させる一方で特別図柄用予告演出の表示を規制し、当該普通図用予告演出が終了して普通図柄用予告演出が実行中であることを示す情報が消去された場合には、規制されていた特別図柄用予告演出を表示させるようにしてもよい。
【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
遊技球を入球させることによって第１特別図柄変動ゲームの始動条件が得られる第１始動口と、
遊技球を入球させることによって第２特別図柄変動ゲームの始動条件が得られる第２始動口と、
遊技球を入球させることによって普通図柄変動ゲームの始動条件が得られるゲートと、
主制御手段と、
前記主制御手段からの制御情報が入力され、当該制御情報をもとに演出の実行を制御する演出制御手段と、を備え、
前記第１特別図柄変動ゲーム及び前記第２特別図柄変動ゲームは、大入賞口を開放させる大当り遊技を付与するかの抽選結果を導出し、
前記普通図柄変動ゲームは、前記第２始動口を遊技球が入球し易い状態に遷移させるかの抽選結果を導出し、
前記主制御手段は、前記第１始動口、前記第２始動口並びに前記ゲートへの入球を契機に情報を取得し、
前記演出制御手段は、
前記制御情報として前記第１始動口への入球を契機に取得された情報を特定可能な特図入球時制御情報を入力することにより、当該入球に基づく第１特別図柄変動ゲームが実行される以前に前記大当り遊技を付与するかの抽選結果を示唆する第１予告演出を実行させるかを判定する第１判定処理と、
前記制御情報として前記ゲートへの入球を契機に取得された情報を特定可能な普図入球時制御情報を入力することにより、当該入球に基づく普通図柄変動ゲームが実行される以前に前記第２始動口を遊技球が入球し易い状態に遷移させるかの抽選結果を示唆する第２予告演出を実行させるか判定する第２判定処理と、
前記第１判定処理の判定結果に基づく第１予告演出、並び前記第２判定処理の判定結果に基づく第２予告演出のそれぞれの実行に関する予告実行処理と、を行い、
前記第１予告演出の演出態様と、前記第２予告演出の演出態様は、少なくとも一部が同様であることを特徴とする遊技機。
【請求項２】
前記予告実行処理において前記第１予告演出を実行させる場合、当該第１予告演出を前記第１特別図柄変動ゲームの開始から予め決められた第１時間経過後に開始させ、
前記予告実行処理において前記第２予告演出を実行させる場合、当該第２予告演出を前記普通図柄変動ゲームの開始から予め決められた第２時間経過後に開始させることを特徴とする請求項１に記載の遊技機。
【請求項３】
前記第１時間及び前記第２時間は、それぞれ複数種類の時間が予め決められていることを特徴とする請求項２に記載の遊技機。
【請求項４】
前記予告実行処理では、前記第１予告演出及び前記２予告演出のうち一方の予告演出を実行させている場合、前記他方の予告演出の実行を規制し、前記一方の予告演出が終了してから前記他方の予告演出を実行させることを特徴とする請求項１〜請求項３のうちいずれか一項に記載の遊技機。
【手続補正２】
【補正対象書類名】明細書
【補正対象項目名】０００７
【補正方法】変更
【補正の内容】
【０００７】
上記問題点を解決する遊技機は、遊技球を入球させることによって第１特別図柄変動ゲームの始動条件が得られる第１始動口と、遊技球を入球させることによって第２特別図柄変動ゲームの始動条件が得られる第２始動口と、遊技球を入球させることによって普通図柄変動ゲームの始動条件が得られるゲートと、主制御手段と、前記主制御手段からの制御情報が入力され、当該制御情報をもとに演出の実行を制御する演出制御手段と、を備え、前記第１特別図柄変動ゲーム及び前記第２特別図柄変動ゲームは、大入賞口を開放させる大当り遊技を付与するかの抽選結果を導出し、前記普通図柄変動ゲームは、前記第２始動口を遊技球が入球し易い状態に遷移させるかの抽選結果を導出し、前記主制御手段は、前記第１始動口、前記第２始動口並びに前記ゲートへの入球を契機に情報を取得し、前記演出制御手段は、前記制御情報として前記第１始動口への入球を契機に取得された情報を特定可能な特図入球時制御情報を入力することにより、当該入球に基づく第１特別図柄変動ゲームが実行される以前に前記大当り遊技を付与するかの抽選結果を示唆する第１予告演出を実行させるかを判定する第１判定処理と、前記制御情報として前記ゲートへの入球を契機に取得された情報を特定可能な普図入球時制御情報を入力することにより、当該入球に基づく普通図柄変動ゲームが実行される以前に前記第２始動口を遊技球が入球し易い状態に遷移させるかの抽選結果を示唆する第２予告演出を実行させるか判定する第２判定処理と、前記第１判定処理の判定結果に基づく第１予告演出、並び前記第２判定処理の判定結果に基づく第２予告演出のそれぞれの実行に関する予告実行処理と、を行い、前記第１予告演出の演出態様と、前記第２予告演出の演出態様は、少なくとも一部が同様であることを要旨とする。
【手続補正３】
【補正対象書類名】明細書
【補正対象項目名】０００８
【補正方法】変更
【補正の内容】
【０００８】
上記遊技機において、前記予告実行処理において前記第１予告演出を実行させる場合、当該第１予告演出を前記第１特別図柄変動ゲームの開始から予め決められた第１時間経過後に開始させ、前記予告実行処理において前記第２予告演出を実行させる場合、当該第２予告演出を前記普通図柄変動ゲームの開始から予め決められた第２時間経過後に開始させるようにしてもよい。
【手続補正４】
【補正対象書類名】明細書
【補正対象項目名】０００９
【補正方法】変更
【補正の内容】
【０００９】
上記遊技機において、前記第１時間及び前記第２時間は、それぞれ複数種類の時間が予め決められているようにしてもよい。
上記遊技機において、前記予告実行処理では、前記第１予告演出及び前記２予告演出のうち一方の予告演出を実行させている場合、前記他方の予告演出の実行を規制し、前記一方の予告演出が終了してから前記他方の予告演出を実行させるようにしてもよい。
【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
始動入賞口に入球した遊技球を検知する始動検知手段と、
前記始動検知手段により遊技球が検知されたことを契機に、複数種類の図柄を変動させる図柄変動ゲームを実行する演出表示手段と、
デモ演出の演出内容を特定するデモ演出パターンを決定するデモ演出パターン決定手段と、
前記図柄変動ゲーム及び大当り遊技が実行されていないときに、前記デモ演出パターン決定手段により決定されたデモ演出パターンに基づき、デモ演出を前記演出表示手段に実行させうるデモ演出制御手段と、
時間情報を記憶する時間情報記憶手段と、を備え、
前記時間情報記憶手段は、遊技機への電源供給が中断した際に電源を供給するバックアップ用電源に接続され、
前記デモ演出パターン決定手段は、時間情報に基づき、デモ演出パターンを決定することを特徴とする遊技機。
【請求項２】
前記デモ演出パターン決定手段は、時間情報に基づき、可動体による可動体演出が含まれるデモ演出パターンを決定可能に構成されていることを特徴とする請求項１に記載の遊技機。
【請求項３】
デモ演出パターンは、消費電力を抑えてデモ演出を実行させる省電力デモ演出パターンと、省電力デモ演出パターンよりも多くの電力を使用する通常デモ演出パターンに分類可能であり、
前記省電力デモ演出パターンと前記通常デモ演出パターンのいずれを決定するかを示すパターン設定情報を設定するパターン設定手段を備え、
前記デモ演出パターン決定手段は、時間情報に含まれる現在時刻が予め決められた第１時間帯である場合には、前記通常デモ演出パターンを決定する一方、時間情報に含まれる現在時刻が第２時間帯である場合には、前記パターン設定手段により設定されたパターン設定情報に基づき、デモ演出パターンを決定することを特徴とする請求項１又は請求項２に記載の遊技機。
【手続補正２】
【補正対象書類名】明細書
【補正対象項目名】０００６
【補正方法】変更
【補正の内容】
【０００６】
上記問題点を解決する遊技機は、始動入賞口に入球した遊技球を検知する始動検知手段と、前記始動検知手段により遊技球が検知されたことを契機に、複数種類の図柄を変動させる図柄変動ゲームを実行する演出表示手段と、デモ演出の演出内容を特定するデモ演出パターンを決定するデモ演出パターン決定手段と、前記図柄変動ゲーム及び大当り遊技が実行されていないときに、前記デモ演出パターン決定手段により決定されたデモ演出パターンに基づき、デモ演出を前記演出表示手段に実行させうるデモ演出制御手段と、時間情報を記憶する時間情報記憶手段と、を備え、前記時間情報記憶手段は、遊技機への電源供給が中断した際に電源を供給するバックアップ用電源に接続され、前記デモ演出パターン決定手段は、時間情報に基づき、デモ演出パターンを決定することを要旨とする。
【手続補正３】
【補正対象書類名】明細書
【補正対象項目名】０００７
【補正方法】変更
【補正の内容】
【０００７】
上記遊技機において、前記デモ演出パターン決定手段は、時間情報に基づき、可動体による可動体演出が含まれるデモ演出パターンを決定可能に構成されているようにしてもよい。
【手続補正４】
【補正対象書類名】明細書
【補正対象項目名】０００８
【補正方法】変更
【補正の内容】
【０００８】
上記遊技機において、デモ演出パターンは、消費電力を抑えてデモ演出を実行させる省電力デモ演出パターンと、省電力デモ演出パターンよりも多くの電力を使用する通常デモ演出パターンに分類可能であり、前記省電力デモ演出パターンと前記通常デモ演出パターンのいずれを決定するかを示すパターン設定情報を設定するパターン設定手段を備え、前記デモ演出パターン決定手段は、時間情報に含まれる現在時刻が予め決められた第１時間帯である場合には、前記通常デモ演出パターンを決定する一方、時間情報に含まれる現在時刻が第２時間帯である場合には、前記パターン設定手段により設定されたパターン設定情報に基づき、デモ演出パターンを決定するようにしてもよい。
【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
第１図柄変動ゲームを実行する第１表示装置と、
第２図柄変動ゲームを実行する第２表示装置と、
第１始動入賞口に遊技球が入球したことを契機に実行が保留されうる第１図柄変動ゲームを特定可能な保留情報を記憶する第１記憶手段と、
第２始動入賞口に遊技球が入球したことを契機に実行が保留されうる第２図柄変動ゲームを特定可能な保留情報を記憶する第２記憶手段と、
前記第２始動入賞口が開状態及び閉状態を取り得るように開閉動作する開閉部材と、を備え、
前記第１図柄変動ゲーム及び前記第２図柄変動ゲームの実行が共に保留されている場合、前記第２図柄変動ゲームが優先的に実行されるように構成されており、
第２図柄変動ゲームのゲーム性に関する情報は、前記開閉部材が予め決められた開閉態様で開閉動作可能な状態となった場合、その状態となった後、最初に実行される第２図柄変動ゲームの開始時以降に、演出表示手段により報知可能に構成されていることを特徴とする遊技機。
【請求項２】
前記開閉部材が予め決められた開閉態様で開閉動作可能な状態となった場合、少なくとも第２図柄変動ゲームが実行されるまでに実行される第１図柄変動ゲームの演出時間は、第２図柄変動ゲームの演出時間よりも短い時間が設定されうることを特徴とする請求項１に記載の遊技機。
【請求項３】
普通始動入賞口に入球した遊技球を検知する普通始動検知手段と、
複数種類の普通図柄を変動させる普通図柄変動ゲームを実行する普通図柄表示装置と、
普通図柄変動ゲームが普通当りとなるか否かを判定する普通当り判定手段と、
前記普通当り判定手段の判定結果が肯定の場合、前記開閉部材の開閉態様を決定する開閉態様決定手段と、
普通当りとなった普通図柄変動ゲームの終了後、前記開閉態様決定手段により決定された開閉態様で前記開閉部材を開閉させる開閉制御手段と、
普通図柄変動ゲームの変動時間を通常状態よりも短縮させる状態と、普通図柄変動ゲームが当選する確率を通常状態よりも高確率にする状態と、前記開閉部材の開放時間を通常状態よりも増加させる状態のうち、少なくともいずれか１つの状態を有する入球率向上状態を付与する入球率向上状態付与手段を備え、
前記第２図柄変動ゲームのゲーム性に関する情報は、通常状態において前記入球率向上状態付与手段が前記入球率向上状態を付与した場合、当該入球率向上状態の付与後、最初に実行される第２図柄変動ゲームにおいて、報知可能に構成されていることを特徴とする請求項１又は請求項２に記載の遊技機。
【請求項４】
第１図柄変動ゲームのゲーム性に関する情報は、前記開閉部材が予め決められた開閉態様で開閉動作可能な状態が終了した場合、その終了後、最初に実行される第１図柄変動ゲームの開始時以降において、演出表示手段により報知可能に構成されていることを特徴とする請求項１〜請求項３のうちいずれか一項に記載の遊技機。
【請求項５】
遊技領域に射出されてから前記第１始動入賞口に至るまでの遊技球の第１流下経路と、遊技領域に射出されてから前記第２始動入賞口に至るまでの遊技球の第２流下経路を異ならせたことを特徴とする請求項１〜請求項４のうちいずれか一項に記載の遊技機。
【手続補正２】
【補正対象書類名】明細書
【補正対象項目名】００１０
【補正方法】変更
【補正の内容】
【００１０】
上記問題点を解決する遊技機は、第１図柄変動ゲームを実行する第１表示装置と、第２図柄変動ゲームを実行する第２表示装置と、第１始動入賞口に遊技球が入球したことを契機に実行が保留されうる第１図柄変動ゲームを特定可能な保留情報を記憶する第１記憶手段と、第２始動入賞口に遊技球が入球したことを契機に実行が保留されうる第２図柄変動ゲームを特定可能な保留情報を記憶する第２記憶手段と、前記第２始動入賞口が開状態及び閉状態を取り得るように開閉動作する開閉部材と、を備え、前記第１図柄変動ゲーム及び前記第２図柄変動ゲームの実行が共に保留されている場合、前記第２図柄変動ゲームが優先的に実行されるように構成されており、第２図柄変動ゲームのゲーム性に関する情報は、前記開閉部材が予め決められた開閉態様で開閉動作可能な状態となった場合、その状態となった後、最初に実行される第２図柄変動ゲームの開始時以降に、演出表示手段により報知可能に構成されていることを要旨とする。
【手続補正３】
【補正対象書類名】明細書
【補正対象項目名】００１１
【補正方法】変更
【補正の内容】
【００１１】
上記遊技機において、前記開閉部材が予め決められた開閉態様で開閉動作可能な状態となった場合、少なくとも第２図柄変動ゲームが実行されるまでに実行される第１図柄変動ゲームの演出時間は、第２図柄変動ゲームの演出時間よりも短い時間が設定されうるようにしてもよい。
【手続補正４】
【補正対象書類名】明細書
【補正対象項目名】００１２
【補正方法】変更
【補正の内容】
【００１２】
上記遊技機において、普通始動入賞口に入球した遊技球を検知する普通始動検知手段と、複数種類の普通図柄を変動させる普通図柄変動ゲームを実行する普通図柄表示装置と、普通図柄変動ゲームが普通当りとなるか否かを判定する普通当り判定手段と、前記普通当り判定手段の判定結果が肯定の場合、前記開閉部材の開閉態様を決定する開閉態様決定手段と、普通当りとなった普通図柄変動ゲームの終了後、前記開閉態様決定手段により決定された開閉態様で前記開閉部材を開閉させる開閉制御手段と、普通図柄変動ゲームの変動時間を通常状態よりも短縮させる状態と、普通図柄変動ゲームが当選する確率を通常状態よりも高確率にする状態と、前記開閉部材の開放時間を通常状態よりも増加させる状態のうち、少なくともいずれか１つの状態を有する入球率向上状態を付与する入球率向上状態付与手段を備え、前記第２図柄変動ゲームのゲーム性に関する情報は、通常状態において前記入球率向上状態付与手段が前記入球率向上状態を付与した場合、当該入球率向上状態の付与後、最初に実行される第２図柄変動ゲームにおいて、報知可能に構成されているようにしてもよい。
【手続補正５】
【補正対象書類名】明細書
【補正対象項目名】００１３
【補正方法】変更
【補正の内容】
【００１３】
上記遊技機において、第１図柄変動ゲームのゲーム性に関する情報は、前記開閉部材が予め決められた開閉態様で開閉動作可能な状態が終了した場合、その終了後、最初に実行される第１図柄変動ゲームの開始時以降において、演出表示手段により報知可能に構成されているようにしてもよい。